(57)【特許請求の範囲】
【請求項１】
ＵＶ色に係る印刷命令から第１の画像形成イメージを作成し、前記ＵＶ色に係る印刷命令に含まれる図形情報のサイズ、形状、及び位置を所定の範囲内でランダムに変更して第２の画像形成イメージを作成するイメージ作成部と、
発光現像剤を用いて、前記第１の画像形成イメージの現像剤像を媒体上に形成する発光現像剤像形成部と、
非発光現像剤を用いて、前記第２の画像形成イメージの現像剤像を媒体上に形成する非発光現像剤像形成部と
を有することを特徴とする画像形成装置。
【請求項２】
ＵＶ色に係る印刷命令から第１の画像形成イメージを作成し、前記ＵＶ色に係る印刷命令に含まれるフォント情報を解析して、前記フォント情報と同一のフォントで、第２の画像形成イメージを作成するイメージ作成部と、
発光現像剤を用いて、前記第１の画像形成イメージの現像剤像を媒体上に形成する発光現像剤像形成部と、
非発光現像剤を用いて、前記第２の画像形成イメージの現像剤像を媒体上に形成する非発光現像剤像形成部と
を有することを特徴とする画像形成装置。
【請求項３】
前記非発光現像剤像形成部が形成した非発光現像剤像は、前記発光現像剤像形成部が形成した発光現像剤像と重複する領域に配置されていることを特徴とする請求項１又は２に記載の画像形成装置。
【請求項４】
前記非発光現像剤像形成部が形成した非発光現像剤像は、前記発光現像剤像形成部が形成した発光現像剤像と重複しない領域に配置されていることを特徴とする請求項１又は２に記載の画像形成装置。
【請求項５】
前記非発光現像剤像形成部が形成した非発光現像剤像は、前記発光現像剤像形成部が形成した発光現像剤像と重複する領域及び重複しない領域に配置されていることを特徴とする請求項１又は２に記載の画像形成装置。
【請求項６】
前記非発光現像剤は、クリアトナーであることを特徴とする請求項１〜５のいずれかに記載の画像形成装置。
【請求項７】
前記発光現像剤は、蛍光トナーであることを特徴とする請求項１〜５のいずれかに記載の画像形成装置。
【請求項８】
前記第２の画像形成イメージは、同一サイズのフォントで形成されることを特徴とする請求項２に記載の画像形成装置。
【請求項９】
前記第２の画像形成イメージは、ランダムな文字で作成されることを特徴とする請求項２に記載の画像形成装置。
【請求項１０】
前記第１の画像形成イメージは、解析部及び印刷イメージ作成部から構成される第１の画像形成イメージ作成部により作成されることを特徴とする請求項１又は２に記載の画像形成装置。
【請求項１１】
前記第２の画像形成イメージは、解析部および印刷イメージ作成部から構成される第２の画像形成イメージ作成部により作成されることを特徴とする請求項１又は２に記載の画像形成装置。
【請求項１２】
前記イメージ作成部は、解析部、ＵＶ色図形描画部、ＵＶ色文字描画部、ＵＶ色イメージ描画部、ダミー画像描画部からなることを特徴とする請求項１又は２に記載の画像形成装置。
【発明の詳細な説明】
【技術分野】
【０００１】
この発明は、画像形成装置に関し、例えば、発光トナーを用いて画像形成を行うことができる画像形成装置に適用し得る。
【背景技術】
【０００２】
従来、発光トナーを用いて印刷（画像形成）を行うことができる画像形成装置としては、特許文献１の記載技術が存在する。
【０００３】
発光トナーとしては、例えば、紫外光（ＵＶ）等の所定の光を照射すると、蛍光（可視光）を発する蛍光トナーがある。従来の蛍光トナーを用いて印刷用紙に印刷することができる画像形成装置としては、例えば、特許文献１に記載の画像形成装置がある。
【先行技術文献】
【特許文献】
【０００４】
【特許文献１】特開２００７−１７７１８号公報
【発明の概要】
【発明が解決しようとする課題】
【０００５】
しかしながら、従来の画像形成装置で用いられる蛍光トナーは、紫外光を照射しなくても肉眼で蛍光トナーの画像が見者に識別できてしまうという問題がある。これは、通常、蛍光トナーには「バインダー樹脂」等の光沢（いわゆる「てかり」）のある材料が含まれているために発生する問題である。例えば、蛍光トナーで印刷された印刷物の用途によっては、可視光下（紫外光を照射しない状態）で蛍光トナーのトナー像が識別できない方が良い場合もある。例えば、印刷物が証書や金券等である場合、蛍光トナーにより印刷された画像で真偽の判断等が行われるため、可視光下で蛍光トナーの画像が識別できない方がよい。
【０００６】
上述のような問題点に鑑みて、発光トナーの画像が発光していない状態でも観者に識別されてしまうことを抑制することができる画像形成装置が望まれている。
【課題を解決するための手段】
【０００７】
第１の本発明の画像形成装置は、（１）ＵＶ色に係る印刷命令から第１の画像形成イメージを作成し、前記ＵＶ色に係る印刷命令に含まれる図形情報のサイズ、形状、及び位置を所定の範囲内でランダムに変更して第２の画像形成イメージを作成するイメージ作成部と、（２）発光現像剤を用いて、前記第１の画像形成イメージの現像剤像を形成する発光現像剤像形成部と、（３）非発光現像剤を用いて、前記第２の画像形成イメージの現像剤像を形成する非発光現像剤像形成部とことを特徴とする。
第２の本発明の画像形成装置は、（１）ＵＶ色に係る印刷命令から第１の画像形成イメージを作成し、前記ＵＶ色に係る印刷命令に含まれるフォント情報を解析して、前記フォント情報と同一のフォントで、第２の画像形成イメージを作成するイメージ作成部と、（２）発光現像剤を用いて、前記第１の画像形成イメージの現像剤像を媒体上に形成する発光現像剤像形成部と、（３）非発光現像剤を用いて、前記第２の画像形成イメージの現像剤像を媒体上に形成する非発光現像剤像形成部とを有することを特徴とする。
【発明の効果】
【０００８】
本発明によれば、発光トナーの画像が発光していない状態でも観者に識別されてしまうことを抑制する画像形成装置を提供することができる。
【図面の簡単な説明】
【０００９】
【図１】実施形態に係る画像形成装置の印刷機能に係る機能的構成及び周辺の接続構成について示したブロック図である。
【図２】実施形態に係る画像形成装置の全体構成について示したブロック図である。
【図３】実施形態に係る画像形成装置で用いられるジョブ投入情報の構成例について示した説明図である。
【図４】実施形態に係る画像形成装置におけるジョブ実行時の基本的動作について示したフローチャート（その１）である。
【図５】実施形態に係る画像形成装置におけるジョブ実行時の基本的動作について示したフローチャート（その２）である。
【図６】実施形態に係る印刷機能の動作について示したフローチャート（その１）である。
【図７】実施形態に係る印刷機能の動作について示したフローチャート（その２）である。
【図８】実施形態に係るダミー画像印刷イメージの例について示した説明図（その１）である。
【図９】実施形態に係るダミー画像印刷イメージの例について示した説明図（その２）である。
【図１０】実施形態に係るダミー画像印刷イメージの例について示した説明図（その３）である。
【発明を実施するための形態】
【００１０】
（Ａ）主たる実施形態
以下、本発明による画像形成装置の一実施形態を、図面を参照しながら詳述する。この実施形態では、本発明の画像形成装置を複合機に適用する例について説明する。
【００１１】
（Ａ−１）実施形態の構成
図２は、この実施形態の画像処理装置１０１の機能的構成及び周辺の接続構成を示すブロック図である。
【００１２】
この実施形態では、画像処理装置１０１を複合機に適用した例について説明する。また、画像処理装置１０１は、ネットワークＮに接続しており、同じネットワークＮに接続している情報処理装置１８０の印刷要求（印刷データ）に従って印刷用紙に画像形成する処理を行うプリンタとしても機能する。
【００１３】
画像処理装置１０１は、複数色のトナー（現像剤）を用いて印刷（画像形成）が可能となっている。画像処理装置１０１は、シアン、マゼンタ、イエロー、ブラックの４色のトナーを用いた印刷の他に、発光現像剤としての発光トナーを用いた印刷も可能であるものとする。
【００１４】
発光トナーとは、外部からエネルギー（所定の光や熱等）が加えられてトナー内の発色剤の電子が基底状態から励起状態に遷移した後にふたたび基底状態に戻るときに光を放出する卜ナーである。発光トナーとしては、例えば、エネルギーとして紫外光（ＵＶ；ブラックライト）を照射すると、可視光領域の光（蛍光）を発するトナー（以下、「蛍光トナー」、「紫外光吸収発光トナー」、又は「ＵＶトナー」と呼ぶ）がある。この実施形態の例では、画像処理装置１０１は、発光トナーとして、ＵＶトナー（蛍光トナー；紫外光吸収発光トナー）を用いた印刷が可能であるものとして説明する。
【００１５】
以下では、通常の印刷に用いられるトナー色（この実施形態では、シアン、マゼンタ、イエロー、ブラック）を総称して「通常色」とも呼ぶものとする。また、以下では、ＵＶトナー（蛍光トナー）の色を「ＵＶ色」（蛍光色）とも呼ぶものとする。なお、画像処理装置１０１は、複数のＵＶ色に対応し、それぞれのＵＶ色についてトナー像を形成して印刷するようにしてもよい。さらに、画像処理装置１０１は、可視光下でＵＶトナーのトナー像を識別しにくくする（隠蔽する）ための画像（以下、「ダミー画像」と呼ぶ）の印刷も可能であるものとする。すなわち、画像処理装置１０１は、ＵＶ色のトナー像と共に、ダミー画像を印刷することができるものとする。ダミー画像に用いる現像剤は、限定されないものであるが可視光下でＵＶ色と似た見た目（似た光沢）となる材料が望ましい。この実施形態では、画像処理装置１０１は、ダミー画像の現像剤として透明色（クリア色）のクリアトナーを用いるものとして説明する。クリアトナーとは、透明で紫外光（ＵＶ光）を照射しても発光しないトナーであり、可視光下でＵＶトナーと同等の光沢となる現像剤である。なお、画像処理装置１０１において、ダミー画像に用いる現像剤はクリアトナーに限定されず、発光トナー（ＵＶトナー）と共に発光しない性質（非発光の性質）のトナーであって、発光トナーが発光していない通常の状態で、発光トナーと見た目が似ている（光沢が似ている）トナー（以下、「非発光トナー」、又は「非発光現像剤」と呼ぶ）であればよい。ダミー画像の詳細については後述する。
【００１６】
情報処理装置１８０は、例えばＰＣ等の種々のコンピュータを適用することができる。情報処理装置１８０の内部構成については限定されない。この実施形態の例では、情報処理装置１８０は、図２に示すように、アプリケーション１８１、ＯＳ１８２、プリンタドライバ１８３、及びプロパティ情報追加部１８４を有している。図２に示す情報処理装置１８０の内部構成は、コンピュータ上にインストールされた各ソフトウェアの機能的構成について示している。情報処理装置１８０では、ミドルウェアとしてのＯＳ１８２上に、アプリケーション１８１、プリンタドライバ１８３及びプロパティ情報追加部１８４がインストールされているものとする。アプリケーション１８１は、例えば、文書編集アプリケーション等が該当する。アプリケーション１８１は、ユーザの操作に応じて印刷出力する文書の印刷処理を、プリンタドライバ１８３に依頼する。プリンタドライバ１８３は、画像処理装置１０１に印刷データに基づく印刷処理の実行（印刷ジョブの実行）や各種設定変更等を行うものである。プロパティ情報追加部１８４は、プリンタドライバ１８３が印刷データを生成する際の印刷条件やユーザ情報等の各種設定値（プロパティ情報）を保持するものである。プリンタドライバ１８３は、アプリケーション１８１の要求に応じて、画像処理装置１０１に対して印刷処理を依頼するための印刷データを作成して、画像処理装置１０１に送信（印刷ジョブの実行を要求）する処理等を行う。この実施形態の例では、プリンタドライバ１８３は、ＰＤＬ（Ｐａｇｅ  Ｄｅｓｃｒｉｐｔｉｏｎ  Ｌａｎｇｕａｇｅ）で記述された印刷データを作成するものとして説明する。プリンタドライバ１８３は、印刷データの作成にあたってプロパティ情報追加部１８４で保持している情報を利用する。
【００１７】
次に、画像処理装置１０１の内部構成について図２を用いて説明する。
【００１８】
画像処理装置１０１は、通信部１０２、通信制御部１０３、通信指示認識部１０４、操作パネル１０５、パネル制御部１０６、パネル指示認識部１０７、アカウント管理部１０８、ジョブ管理部１０９、機能管理部１１０、スキャナ機能１１１、ＦＡＸ機能１１２、媒体アクセス機能１１３、印刷機能１１４、Ｅｍａｉｌ機能１１５、レポート作成機能１１６、権限管理部１１８、設定値管理部１１９、ログ管理部１２０、及び記憶部１２１を有している。
【００１９】
通信部１０２は、ネットワークＮ等に接続するためのインタフェースである。通信部１０２は、ネットワークＮに接続するためのプロトコルに対応し、情報処理装置１８０等の外部の装置と通信をする。通信部１０２が対行う通信処理には、ＵＳＢ、ＩＥＥＥ１３９４などのローカルな通信処理の他、ネットワークやＦＡＸのようなグローバルな通信処理も含むものとする。
【００２０】
通信制御部１０３は、通信部１０２を動作させる機能（ソフトウェアの機能）を担っている。通信制御部１０３は、例えば、通信部１０２が受信した情報を画像処理装置１０１内の上位層のソフトウェアへ転送する処理、及び上位層のソフトウェアから受け取った情報を外部装置へ転送するように通信部１０２を制御すること等を行う。
【００２１】
通信指示認識部１０４は、通信部１０２の上位層で通信部１０２より転送された受信情報の解釈と、解釈の結果必要となった簡単なアクションの機能を担っている。通信指示認識部１０４が行う「受信情報の解釈」とは、例えば、受信した情報の中に含まれるコマンドを検出し、検出したコマンドを解析（コマンドの内容を把握）することである。「解釈の結果必要となったアクション」とは、例えば、コマンドで要求されている内容が簡単なもの（設定値の値参照や変更など）のことである。通信指示認識部１０４は、複雑なアクションについては、ジョブ管理部１０９に転送する。画像処理装置１０１では、要求されている内容が複雑なもの（例えば、印刷など）の場合には、ジョブ管理部１０９の制御に基づいて実行される。通信指示認識部１０４は、処理するコマンドによっては、依頼元（例えば、情報処理装置１８０）の権限を確認するため、その依頼元に認証情報を要求する。依頼元から認証情報が送付され、それを用いて認証し、権限照合が成功すると、通信指示認識部１０４は、依頼元から送信されたユーザ識別子（ユーザ名）を引数としてジョブ管理部１０９に処理を要求する。これにより、ジョブ管理部１０９は、依頼元のユーザを特定し、さらに、依頼された処理の実行可否を判断することが可能となる。また、通信指示認識部１０４は、設定値管理部１１９に存在する認証処理の設定値（以下、「認証設定値」と呼ぶ）がＯＦＦである場合には、認証処理を行わないものとする。
【００２２】
操作パネル１０５は、ユーザに対する情報出力やユーザからの操作入力受付等を行うユーザインタフェースとして機能する。操作パネル１０５は、例えば、図示しない内部パスインタフェースで直接接続された入出力装置として構成することができる。操作パネル１０５は、例えば、操作画面を表示するためのタッチパネル式のＬＣＤ（Ｌｉｑｕｉｄ  Ｃｒｙｓｔａｌ  Ｄｉｓｐｌａｙ）パネルやＬＥＤ（Ｌｉｇｈｔ  Ｅｍｉｔｔｉｎｇ  Ｄｉｏｄｅ）等を用いて情報出力を行う。操作パネル１０５に適用可能なＬＣＤパネルは様々なサイズのものがあるが、例えば、複合機に搭載されるものではＶＧＡ（６４０ｘ４８０ｄｏｔ）のものが最大クラスである。操作パネル１０５では、例えば、数個程度のＬＥＤが実装され、それぞれに意味を持たせて点灯させられる。操作パネル１０５は、例えば、ＬＣＤパネルを用いたソフトウェアボタンや、図示しないハードボタン等を用いて入力を受けつけるようにしてもよい。
【００２３】
パネル制御部１０６は、操作パネル１０５を制御するソフトウェア処理の機能を担っている。パネル制御部１０６は、ユーザの操作（操作パネル１０５に対する操作）や画像処理装置１０１内部で発生したイベントに反応して表示（操作パネル１０５から表示出力する内容）を切り替える。パネル制御部１０６が行う処理は、例えば、操作パネル１０５上の画面の移動（例えば、メニュー操作等による画面遷移）や表示の変化などの画面操作と、値選択、入力などの目的を達成するための入力操作に分かれる。パネル制御部１０６は、主として上述の画面操作に係る処理を行い、上述の入力操作に係る入力信号は、パネル指示認識部１０７へ転送して処理を依頼するものとする。パネル制御部１０６は、内部で発生したイベントは、パネル制御部１０６が表示出力する操作画面の所定の領域（例えば、ステータス表示用の画面）に表示する。パネル制御部１０６は、表示すべき情報（例えば、文字やインジケータ等）を、画像信号（例えば、ビットマップ形式のデータ）に変換して操作パネル１０５へ転送する。そして、操作パネル１０５は、供給された画像信号に応じた表示出力を行うことになる。
【００２４】
パネル指示認識部１０７は、操作パネル１０５、パネル制御部１０６経由で通知されるユーザの操作情報に基づいて、入力された指示内容を認識する。パネル指示認識部１０７は、例えば、提供するサービスや機能をそれぞれ項目としてメニュー形式で操作パネル１０５に表示させ、そのメニューからいずれかの項目をユーザに選択させることにより、ユーザから入力された指示内容を認識する。パネル指示認識部１０７は、画像処理装置１０１が実行する各機能に関する選択を受付けたり、種々のパラメータ（設定値）の変更の受付け等を行う。画像処理装置１０１が対応する機能（複合機としての機能）としては、例えば、ＣＯＰＹ、ＳｃａｎＴｏＥｍａｉｌ（スキャンした画像をＥｍａｉｌに添付して送信する機能）、ＳｃａｎＴｏＦＡＸ（スキャンした画像をＦＡＸ送信する機能）などがある。パネル指示認識部１０７は、要求されている内容が簡単な処理（例えば、操作画面上の設定値の値参照や変更などの処理）については直接処理を実行する。パネル指示認識部１０７は、認識した指示内容で要求されている内容が複雑な処理（例えば、印刷など）の場合には、ジョブ管理部１０９へ転送し処理を依頼する。
【００２５】
また、パネル指示認識部１０７は、上述した機能の選択の他、その機能実行に必要な付属の情報（以下、「ジョブ投入情報」とも呼ぶ）についても指示内容として認識する。機能実行（ジョブ実行）に必要な付属の情報とは、例えば、実行しようとする機能がＦＡＸ送信機能であれば、送信先電話番号等が該当する。また、例えば、実行しようとする機能がＥｍａｉｌ送信であれば、当該機能実行に必要な付属の情報としては送信先メールアドレス等が該当する。さらに、例えば、実行しようとする機能が印刷であれば、当該機能実行に必要な付属の情報としては解像度、色の濃さ、両面／片面印刷や印刷部数等が該当する。
【００２６】
図３は、ジョブ投入情報の構成例について示した説明図である。
【００２７】
図３に示すジョブ投入情報には、「ユーザ名」、「ユーザ所属」、「勤務年数」、「役職」、「投入ジョブ種別」、「設定値」、及び「ジョブ投入時の時刻」の項目の情報が含まれている。図３に示すように、「ジョブ投入情報」は、ユーザが画像処理装置１０１にジョブを受付ける際に付加される情報である。画像処理装置１０１は、ジョブ投入時に依頼元のユーザ（又は情報処理装置１８０等の依頼元の外部装置）から、「ユーザ名」「パスワード」のような認証情報以外に、「投入ジョブ種別」および投入ジョブ種別毎の「設定値」などの入力を受付ける。
【００２８】
「ユーザ名」及び「パスワード」の項目は、通常の認証に必要な情報である。パネル指示認識部１０７は、認証情報を照合して許可されたユーザであるかどうかを確認する。パネル指示認識部１０７は、認証が成功したユーザの情報をアカウント管理部１０８から取得し、ジョブ投入情報の一部として取得する。パネル指示認識部１０７は、例えば、認証が成功したユーザについて必要な項目の情報（図３の例では、「ユーザ所属」「勤務年数」「役職」）をアカウント管理部１０８から取得し、ジョブ投入情報の一部として設定する。
【００２９】
「ジョブ投入時の時刻」の項目は、当該ジョブ投入情報に係るジョブの投入が行われた時刻を表している。パネル指示認識部１０７は、例えば、図示しない画像処理装置１０１内部の時計（リアルタイムクロック）や、外部の図示しない時刻サーバから時刻を取得して、「ジョブ投入時の時刻」の項目を設定するようにしてもよい。
【００３０】
「投入ジョブ種別」はユーザが画像処理装置に対して実行したいジョブの種類を示すもので、コピー、印刷、ＦＡＸ送信、Ｅｍａｉｌ送信などが該当する。図３の例では「投入ジョブ種別」として「Ｅｍａｉｌ送信」が指定されている。
【００３１】
「設定値」の項目は、「投入ジョブ種別」で指定された機能の処理に必要となるパラメータを設定する項目である。なお１つのジョブ投入情報に「設定値」の項目が複数設定される場合もあり得る。図３に示すジョブ投入情報では、「Ｅｍａｉｌ送信」に対応する「設定値」として、Ｅｍａｉｌアドレスとファイル形式（添付ファイルの形式）が設定されている。
【００３２】
以上のように、「ジョブ投入情報」とは、ジョブ投入時に関する様々な情報を集めたものとなる。なお、図３に示すジョブ投入情報は、一例であり実際には、当該ジョブの処理で必須となる項目の情報だけが含まれていればよい。
【００３３】
パネル指示認識部１０７は、処理するコマンドによっては、そのコマンドの実行権限を確認するため、パネル制御部１０６、操作パネル１０５を経由してユーザに認証情報を要求する。パネル指示認識部１０７は、ユーザから認証情報の入力を受付けると、その認証情報を用いて認証し、権限を照合する。パネル指示認識部１０７は、権限照合が成功すると、ジョブ管理部１０９に処理を要求する時にユーザから入力されたユーザ識別子を引数として渡す。この情報（ユーザ識別子）は、ジョブ管理部１０９において、ジョブの実行を許可するかしないかの判断に用いられることになる。また、パネル指示認識部１０７は、設定値管理部１１９に存在する認証設定値がＯＦＦである場合には、認証を行わないものとする。
【００３４】
ジョブ管理部１０９は、ユーザから要求されたジョブを通信指示認識部１０４やパネル指示認識部１０７経由で受け付け、その受け付けたジョブを実行する構成要素を選択し、当該構成要素に実行を指示する。また、ジョブ管理部１０９は、ジョブ実行を指示した構成要素の状態を監視し、当該ジョブに係る処理の終了を判断する処理も行う。さらに、ジョブ管理部１０９は、ジョブに対する操作指示（ユーザからの操作指示）も受け付け、受付けた操作指示に応じた制御を行う。
【００３５】
ジョブ管理部１０９は、ジョブの受け付け時には、ジョブの依頼者がそのジョブを実行する権限を持っているかを確認する処理を行う（権限の照合）。また、ジョブ管理部１０９は、権限を照合した結果、実行可能である場合には、そのジョブの所有者として照合したユーザ識別子をジョブに添付させる。ジョブ管理部１０９は、自動で起動するローカルプリントなど、内部処理から投入されたジョブの場合は、権限の照合は行わず実行する。ジョブ管理部１０９は、ジョブの処理がまだ開始順番待ちなのか、開始して実行中なのか、開始したがエラーが発生して止まっているのか等の監視（ジョブの監視）を行う。ジョブ管理部１０９は、ジョブが終了した場合、当該ジョブが正常に終了したのか異常で終了したのか等を監視する。また、ジョブ管理部１０９は、異常で終了したジョブについては、原因を監視する。ジョブ管理部１０９は、ジョブに対する情報を管理し、ジョブに対する状態の問い合わせがあれば、それに応答する。ジョブ管理部１０９は、ジョブに対する監視以外の指示として、開始、一時停止、キャンセル、再開等も受付ける。ジョブ管理部１０９は、いずれの指示についても、実行前にはジョブに添付してある所有者を確認し、指示したユーザが当該ジョブの所有者（実行権限のある者）であれば実行し、所有者でなければ実行を拒否するなどの処理を行う。
【００３６】
機能管理部１１０は、画像処理装置１０１内で保持する各機能に係る構成要素を管理する。機能管理部１１０は、ジョブ管理部１０９からの指示によりジョブに機能を割り当て、動作させる。ジョブ管理部１０９がユーザから要求された単位のジョブ（例えば、ＳｃａｎＴｏＥｍａｉｌ等）を扱うことが役割であることに対し、機能管理部１１０は、各ジョブで用いられる各構成要素を個々に管理する。例えば、機能管理部１１０は、ＳｃａｎＴｏＥｍａｉｌのジョブについてＳｃａｎの処理とＥｍａｉｌの処理を個々に管理する。機能管理部１１０は、各機能に係る構成要素を個々に管理することにより、複数の機能を組み合わせて動作させる必要のあるジョブの制御環境を提供する。これにより、画像処理装置１０１では、管理するための構成要素の数を低減させ、全体の制御を容易にしている。機能管理部１１０は、例えば、以下のスキャナ機能１１１、ＦＡＸ機能１１２、媒体アクセス機能１１３、印刷機能１１４、Ｅｍａｉｌ機能１１５、及びレポート作成機能１１６の制御を行う。
【００３７】
スキャナ機能１１１は、図示しないスキャナユニットを駆動してユーザの原稿をスキャンする制御を行う。スキャナ機能１１１は、動作した履歴を、ログ管理部１２０に供給して保存する。
【００３８】
ＦＡＸ機能１１２は、ＦＡＸ受信および、ＦＡＸ送信を制御するものである。ＦＡＸ機能１１２は、ジョブ管理部１０９から指示された領域（場所）に、受信した画像を保存または転送する。また、ＦＡＸ機能１１２は、ジョブ管理部１０９に指示された領域（場所）から画像を読込んでＦＡＸ送信する。ＦＡＸ機能１１２は、動作した履歴を、ログ管理部１２０に供給して保存する。
【００３９】
媒体アクセス機能１１３は、可搬媒体を画像処理装置１０１に装着するためのスロットを有し、装着された可搬媒体中のデータを読込む。可搬媒体とは、例えば、ＵＳＢメモリ、ＳＤカード、コンパクトフラッシュ（登録商標）などが該当する。媒体アクセス機能１１３は、指示に応じて可搬媒体のデータを読みだす処理と、指示に応じて可搬媒体にデータを書き込む処理を行う。媒体アクセス機能１１３は、動作した履歴を、ログ管理部１２０に供給して保存する。
【００４０】
印刷機能１１４は、機能管理部１１０から与えられるデータに従った画像を媒体としての印刷用紙に印刷（画像形成）する。印刷機能１１４は、印刷工程において実際に印刷用紙にトナー像（現像剤像）を定着させる処理を行う。印刷機能１１４は、印刷処理が完了した印刷用紙を図示しない排紙スタッカに排紙する。印刷機能１１４は、動作した履歴を、ログ管理部１２０に供給して保存する。
【００４１】
次に、印刷機能１１４の内部構成について図１を用いて説明する。
【００４２】
印刷機能１１４は、ＰＤＬデータ受信部１５０、ＰＤＬデータ解析部１５１、カラーマッチング処理１５２、印刷イメージ生成部２１０、印刷イメージ生成用バッファ２２０、中間コード格納部１６１、通常色用印刷イメージ格納部１６６、ＵＶ色用印刷イメージ格納部１６７、印刷部１６８、及びダミー画像描画部１６９を有している。また、印刷イメージ生成用バッファ２２０は、通常色用ＲＯＰ情報格納部１６２、通常色用カラー情報格納部１６３、ＵＶ色用ＲＯＰ情報格納部１６４、及びＵＶ色用カラー情報格納部１６５を有している。
【００４３】
ＰＤＬデータ受信部１５０は、印刷機能１１４が処理するデータの入力を受付ける。ＰＤＬデータ受信部１５０が受付けるデータはＰＤＬ形式で記述された印刷データであるものとする。
【００４４】
ＰＤＬデータ解析部１５１は、ＰＤＬデータ受信部１５０が取得したＰＤＬデータを解析し、その指示に従ってディスプレイリストを作成する。ディスプレイリストは、ＰＤＬ言語を解釈して描画イメージを作成するための中間状態を表現したデータフォーマットである。以下では、ＰＤＬデータ解析部１５１が生成するデータを「中間コード」とも呼ぶものとする。また、ＰＤＬデータ解析部１５１は、ＰＤＬデータ内のＵＶ色指定の描画指示を検知する。ＰＤＬデータ解析部１５１は、ＵＶ色指定の描画指示を検知した場合、クリアトナーによるダミー画像の印刷要求を追加する処理（ダミー画像の中間コードを作成する処理）を行う。
【００４５】
カラーマッチング処理１５２は、ＰＤＬで記述された標準な色表現を、自装置（印刷部１６８）の仕様に合わせて変換（補正）する処理を行う。
【００４６】
印刷イメージ生成部２１０は、ＰＤＬデータ解析部１５１が作成した中間コードに基づいて印刷イメージ（ラスターイメージ）を作成する処理を行うものである。印刷イメージ生成部２１０は、描画処理部１５３、中間コード判別部１５４、通常色図形描画部１５５、通常色文字描画部１５６、通常色イメージ描画部１５７、ＵＶ色図形描画部１５８、ＵＶ色文字描画部１５９、ＵＶ色イメージ描画部１６０、及びダミー画像描画部１６９を有している。
【００４７】
中間コード格納部１６１は、ＰＤＬデータ解析部１５１が作成した中間コードを格納しておく領域を持つバッファである。
【００４８】
描画処理部１５３は、ＰＤＬデータ解析部１５１が作成した中間コードから印刷イメージを作成する。描画処理部１５３は、他の構成要素（通常色図形描画部１５５、通常色文字描画部１５６、通常色イメージ描画部１５７、ＵＶ色図形描画部１５８、ＵＶ色文字描画部１５９、ＵＶ色イメージ描画部１６０、及びダミー画像描画部１６９）を用いて、印刷イメージの作成を行う。また、描画処理部１５３は、印刷イメージ作成の結果（例えば、成功又は失敗）の最終判断を行う。以下では、印刷イメージ生成部２１０で作成される通常色の印刷イメージを「通常色印刷イメージ」とも呼ぶ。また、以下では、印刷イメージ生成部２１０で作成されるＵＶ色の印刷イメージを「ＵＶ色印刷イメージ」とも呼ぶ。
【００４９】
また、描画処理部１５３は、ＰＤＬデータ解析部１５１がダミー画像の描画を要求していた場合（ダミー画像の中間コードを作成していた場合）、ダミー画像描画部１６９に指示して、クリアトナーによるダミー画像の印刷イメージを作成させる。以下では、描画処理部１５３が作成したダミー画像（クリアトナーを用いたダミー画像）の印刷イメージを「ダミー画像印刷イメージ」とも呼ぶ。
【００５０】
通常色図形描画部１５５は、ＰＤＬで記述された通常色指定の図形描画指示に従い、描画データを作成する。通常色図形描画部１５５は、作成途中の情報を、通常色用ＲＯＰ情報格納部１６２、及び通常色用カラー情報格納部１６３に格納する。通常色図形描画部１５５は、作成結果を、通常色用印刷イメージ格納部１６６に格納する。
【００５１】
通常色文字描画部１５６は、ＰＤＬで記述された通常色指定の文字描画指示に従い、描画データを作成する。通常色文字描画部１５６は、作成途中の情報を、通常色用ＲＯＰ情報格納部１６２、及び通常色用カラー情報格納部１６３に格納する。通常色文字描画部１５６は、作成結果を、通常色用印刷イメージ格納部１６６に格納する。
【００５２】
通常色イメージ描画部１５７は、ＰＤＬで記述された通常色指定のイメージ描画指示に従い、描画データを作成する。通常色イメージ描画部１５７は、作成途中の情報を、通常色用ＲＯＰ情報格納部１６２、及び通常色用カラー情報格納部１６３に格納する。通常色イメージ描画部１５７は、作成結果を、通常色用印刷イメージ格納部１６６に格納する。
【００５３】
ＵＶ色図形描画部１５８は、ＰＤＬで記述されたＵＶ色指定の図形描画指示に従い、描画データを作成する。ＵＶ色図形描画部１５８は、作成途中の情報を、ＵＶ色用ＲＯＰ情報格納部１６４、及びＵＶ色用カラー情報格納部１６５に格納する。ＵＶ色図形描画部１５８は、作成結果を、ＵＶ色用印刷イメージ格納部１６７に格納する。
【００５４】
ＵＶ色文字描画部１５９は、ＰＤＬで記述されたＵＶ色指定の文字描画指示に従い、描画データを作成する。ＵＶ色文字描画部１５９は、作成途中の情報を、ＵＶ色用ＲＯＰ情報格納部１６４、及びＵＶ色用カラー情報格納部１６５に格納する。ＵＶ色文字描画部１５９は、作成結果を、ＵＶ色用印刷イメージ格納部１６７に格納する。
【００５５】
ＵＶ色イメージ描画部１６０は、ＰＤＬで記述されたＵＶ色指定のイメージ描画指示に従い、描画データを作成する。ＵＶ色イメージ描画部１６０は、作成途中の情報を、ＵＶ色用ＲＯＰ情報格納部１６４、及びＵＶ色用カラー情報格納部１６５に格納する。ＵＶ色イメージ描画部１６０は、作成結果を、ＵＶ色用印刷イメージ格納部１６７に格納する。
【００５６】
ダミー画像描画部１６９は、ＰＤＬデータ解析部１５１の指示（中間コード）に基づいて、ダミー画像（クリアトナーの画像）の描画データを作成する。ダミー画像描画部１６９は、作成した描画データをダミー画像印刷イメージ格納部１７０に格納する。
【００５７】
印刷部１６８は、印刷イメージを取得し、印刷用紙に印刷する処理を行う。印刷部１６８は、通常色用印刷イメージ格納部１６６、及びＵＶ色用印刷イメージ格納部１６７から印刷イメージ（通常色印刷イメージ、及びＵＶ色印刷イメージ）を取得する。また、印刷部１６８は、ダミー画像印刷イメージ格納部１７０からダミー画像印刷イメージを取得する。
【００５８】
印刷部１６８は、通常色印刷イメージに基づいて通常色のトナー像を形成（現像）する通常色画像形成部１６８ａ、ＵＶ色印刷イメージに基づいてＵＶ色のトナー像を形成（現像）するＵＶ色画像形成部１６８ｂ、ダミー画像印刷イメージに基づいてクリア色のトナー像を形成するクリア色画像形成部１６８ｃ、及び、それぞれのトナー像が転写された印刷用紙に、当該トナー像を定着させる定着部１６８ｄを有している。
【００５９】
レポート作成機能１１６は、指示された種別に応じて、内部のデータ（例えば、ログ管理部１２０が保持するログデータ等）を出力するための印刷データ（ローカルプリントの印刷データ）を作成する。レポート作成機能１１６は、ログ管理部１２０が保持する様々なログデータを読み出して、指示されたローカルプリントに対応する印刷用データを作成する。レポート作成機能１１６は、ログ管理部１２０から読み出したログデータを印刷可能な形式に変換する処理（各ログデータのレイアウト処理を含む）を行う。
【００６０】
Ｅｍａｉｌ機能１１５は、Ｅｍａｉｌ送信・受信を制御する。Ｅｍａｉｌ機能１１５は、ジョブ管理部１０９から指示された場所（領域）に受信したデータを保存又は転送する。また、Ｅｍａｉｌ機能１１５は、ジョブ管理部１０９から指示された場所（領域）のデータに基づく画像のデータを、Ｅｍａｉｌ送信する処理を行う。Ｅｍａｉｌ機能１１５は、動作した履歴を、ログ管理部１２０に保存する。
【００６１】
アカウント管理部１０８は、ユーザの情報を保持する管理部である。画像処理装置１０１において、認証処理は、外部から入力される認証情報（以下、「認証情報Ａ」と呼ぶ）と、内部に登録されている認証情報（以下、「認証情報Ｂ」と呼ぶ）との照合を行うことによって実行される。アカウント管理部１０８には、認証情報Ｂが保持されている。認証情報Ｂは、ユーザを識別するユーザ識別子であるが、具体的な内容や形式は限定されないものである。この実施形態では、ユーザ識別子は、ユーザネームやパスワードで構成されているものとするが、その他の情報（例えば、単なる数値、指紋、アイリス（目の虹彩）等）を適用するようにしてもよい。また、アカウント管理部１０８は、は、認証情報Ｂに関連して「ジョブ投入情報」を構成する情報も保持しているものとする。
【００６２】
権限管理部１１８は、認証が完了したユーザに対して許可されている権限を判断する。権限管理部１１８は、認証が完了したユーザに対して、そのユーザを識別するユーザ識別子を割当てる。権限管理部１１８は、ユーザ識別子を与えることによって、そのユーザに許可された権限を返信する処理も行う。また、権限管理部１１８は、使用量制限（例えば、ユーザごとの印刷する枚数の制限等）を行うようにしても良い。例えば、権限管理部１１８は、上限を表すリミット値と、現在の値を表すカウンタ値を比較し、カウンタ値がリミット値を超えない間は継続動作を許可（印刷を許可）する処理も行うようにしてもよい。
【００６３】
設定値管理部１１９は、画像処理装置１０１の設定値を管理する。設定値管理部１１９は、例えば、設定値の読み出しゃ設定値の変更を受け付ける。すべての処理が設定値を使用する可能性があるため、設定値管理部１１９は、すべての処理からアクセスされる可能性がある。設定値管理部１１９は、電源再投入時でもデータを保持することができるメモリ（例えば、不揮発メモリ）を用いて構成されていることが望ましい。
【００６４】
ログ管理部１２０は、ジョブ管理部１０９がジョブを実行する度にその都度履歴としてその動作履歴を保存する。ログ管理部１２０は、通常のジョブ実行結果の他、様々なカウンタ値、ジョブ中で処理したデータ自体をログとして保存するようにしてもよい。また、ログ管理部１２０は、電源再投入時でもデータを保持することができるメモリ（例えば、不揮発メモリ）を用いて構成されていることが望ましい。
【００６５】
記憶部１２１は、受信したデータの一時保存先や、送受信するコマンドの保存先として使用されるメモリである。記憶部１２１は、画像処理装置１０１内の全ての構成要素で用いられる可能性がある。また、記憶部１２１は、電源再投入時等でもデータを保持することができるメモリ（例えば、不揮発メモリ）を用いて構成されていることが望ましい。
【００６６】
次に、印刷部１６８により印刷されるクリアトナー色（ダミー色）のダミー画像について説明する。図８〜図１０は、それぞれＵＶ色印刷イメージに対応するダミー画像印刷イメージの例について示した説明図である。
【００６７】
図８（ａ）、図９（ａ）、図１０（ａ）は、それぞれ、ＵＶ色印刷イメージの例について示した説明図である。図８（ｂ）、図９（ｂ）、図１０（ｂ）は、それぞれ、図８（ａ）、図９（ａ）、図１０（ａ）のＵＶ色印刷イメージに対応するダミー画像印刷イメージの例について示した説明図である。図８（ｃ）、図９（ｃ）、図１０（ｃ）は、それぞれ、図８（ａ）、図９（ａ）、図１０（ａ）のＵＶ色印刷イメージに基づくＵＶ色のトナー像と、図８（ｂ）、図９（ｂ）、図１０（ｂ）のダミー画像印刷イメージに基づくクリアトナー（ダミー色）のトナー像とを、媒体としての印刷用紙Ｍに印刷した場合の図（印刷用紙Ｍの平面図）である。
【００６８】
図８（ａ）では、ＵＶ色印刷イメージが図形（図８の例では円形、三角形、四角形の３つの図形）で構成された画像となっている。そして、図８（ｂ）では、図８（ａ）のＵＶ色印刷イメージに対応するダミー画像印刷イメージの画像である。図８（ｂ）に示すダミー画像印刷イメージは、印刷用紙Ｍの全面に複数の図形を配置した画像となっている。そして、図８（ａ）に示すＵＶ色印刷イメージに、図８（ｂ）のダミー画像印刷イメージを重ねて印刷用紙Ｍに転写すると図８（ｃ）のような状態となる。
【００６９】
仮に、図８（ａ）のＵＶ色印刷イメージだけを印刷用紙Ｍに転写した場合、印刷用紙Ｍの印刷面において、ＵＶ色のトナーが転写された領域と、ＵＶ色のトナーが転写されていない領域との光沢の違いから、可視光下（紫外光の無い状態）でもＵＶ色印刷イメージが観者に容易に識別できる状態となる。しかしながら、図８（ｃ）のように、ＵＶ色印刷イメージの画像（ＵＶ色のトナー像）と、ダミー画像印刷イメージの画像（クリアトナーのトナー像）とを重ねて印刷用紙Ｍに印刷することにより、観者にとって、ＵＶ色印刷イメージの画像を識別することが困難となる。これは、可視光下においては、ＵＶ色のトナーと、クリアトナーとは似た光沢となるためである。
【００７０】
また、図８に示すように、ＵＶ色印刷イメージに図形が含まれている場合、ダミー画像印刷イメージも同様に図形を含む内容とした方が望ましい。印刷用紙Ｍの印刷面においては、ダミー画像印刷イメージに、ＵＶ色印刷イメージと類似する構成要素を含む方が、ダミー画像印刷イメージによる隠蔽効果が高くなるからである。例えば、図８（ｂ）に示すダミー画像印刷イメージでは、図８（ａ）のＵＶ色印刷イメージに含まれる図形（丸、三角、四角の図形）と「近いサイズの図形」（丸、三角、四角の図形）や、「異なる形状で近いサイズの図形」をランダムな位置に配置している。例えば、図８（ｂ）に示すＵＶ色印刷イメージでは、図８（ａ）のＵＶ色印刷イメージに含まれる「円の図形」と近いサイズの「楕円の図形」が複数配置されている。また、例えば、図８（ｂ）に示すＵＶ色印刷イメージでは、図８（ａ）のＵＶ色印刷イメージに含まれる「三角形の図形」と近いサイズの「三角形の図形」が複数配置されている。さらにまた、図８（ｂ）に示すＵＶ色印刷イメージでは、図８（ａ）のＵＶ色印刷イメージに含まれる「四角形の図形」と近いサイズの「四角形の図形」や「角を丸めた四角形の図形」が複数配置されている。
【００７１】
また、図９に示すように、ＵＶ色印刷イメージが文字で構成されている場合には、ダミー画像印刷イメージも同様に文字で構成されている方が、ＵＶ色印刷イメージの文字を隠蔽効果向上（可視光下において、ＵＶ色印刷イメージを構成する文字の可読性低下）に寄与する。特に、ＵＶ色印刷イメージに文字が含まれている場合、ダミー画像印刷イメージは、ＵＶ色印刷イメージを構成する文字と、同一の字体（同一のフォント）、同一の大きさ（同一のフォントサイズ）である方が、ＵＶ色印刷イメージの隠蔽効果は高くなる。
【００７２】
図９（ａ）に示すＵＶ色印刷イメージは、ゴシック体のアルファベット３文字（ＯＤＣ）で構成されている。そして、図９（ｂ）に示すダミー画像印刷イメージは、図９（ａ）に示すＵＶ色印刷イメージと同一のフォント（ゴシック体）で、かつ同一のフォントサイズの文字で構成されている。ダミー画像印刷イメージを構成する文字の数やその配置については限定されないものであるが、図９（ｂ）に示すダミー画像印刷イメージは、印刷用紙Ｍの印刷面全体にわたって、ランダムな文字を３回重ねあわせた画像となっている。このように、ＵＶ色印刷イメージと同一のフォント（ゴシック体）で、かつ同一のフォントサイズの文字でダミー画像印刷イメージを構成すると、図９（ｃ）に示すように、可視光下でＵＶ色印刷イメージの文字を識別することはより困難となる。
【００７３】
また、図９に示すダミー画像印刷イメージでは、ＵＶ色印刷イメージを構成する文字と重複する領域にダミー画像の文字が配置される構成となっているが、図１０に示すように、ＵＶ色印刷イメージを構成する文字との領域を避けてダミー画像の文字が配置されるようにしてもよい。
【００７４】
図１０（ｂ）に示すダミー画像印刷イメージでは、図１０（ｂ）に示すＵＶ色印刷イメージの文字と重複しない領域にダミー画像の文字を配置している。そして、図１０（ｃ）に示すように、ＵＶ色印刷イメージの文字と重複しない領域にダミー画像の文字を配置しても、印刷用紙Ｍの印刷面では、可視光下でＵＶ色印刷イメージの文字（図１０（ａ）に示すアルファベット３文字）を識別することは困難となる。
【００７５】
以上のように、印刷部１６８は、ＵＶ色印刷イメージに対応するダミー画像印刷イメージを生成して、ＵＶ色印刷イメージと共に印刷用紙Ｍに印刷することで、ＵＶ色印刷イメージを識別困難とする（ＵＶ色印刷イメージを隠蔽する）ことができる。
【００７６】
特に、ＵＶ色印刷イメージが文字で構成される場合、その文字が可視光下で識別可能な状態となると、内容によっては情報漏えいにつながることになる。したがって、画像処理装置１０１では、ＵＶ色印刷イメージに文字が含まれる場合、少なくともその文字に対応するダミー画像印刷イメージを印刷用紙Ｍに印刷するだけでも、ＵＶ色印刷イメージに文字を識別困難とさせることができる。
【００７７】
印刷部１６８では、ダミー画像印刷イメージとして、予め保持しているダミー画像（例えば、図８（ｂ）のような画像）を保持しておいて、ＵＶ色印刷イメージと共に印刷するようにしてもよいし、ＵＶ色印刷イメージに応じたダミー画像印刷イメージを作成してＵＶ色印刷イメージと共に印刷するようにしてもよい。そして、この実施形態の例では、印刷部１６８は、ＵＶ色印刷イメージに応じたダミー画像印刷イメージを作成してＵＶ色印刷イメージと共に印刷するものとして説明する。例えば、ＵＶ色印刷イメージの構成要素が、文字、図形、及びイメージ画像で構成される場合、印刷部１６８は、ＵＶ色印刷イメージの文字、図形、及びイメージ画像のそれぞれに応じた画像を作成して合成しダミー画像印刷イメージとするようにしてもよい。
【００７８】
この実施形態の印刷機能１１４では、上述の通りＰＤＬデータ解析部１５１が、ＵＶ色印刷イメージに応じたダミー画像印刷イメージ（ダミー画像印刷イメージを示す中間コード）を作成するものとする。そして、描画処理部１５３は、ダミー画像描画部１６９に、ＰＤＬデータ解析部１５１が作成したダミー画像印刷イメージの中間コードに基づくダミー画像印刷イメージを作成（描画）させる。描画処理部１５３が作成したダミー画像印刷イメージは、ダミー画像描画部１６９に格納される。そして、ダミー画像描画部１６９に格納されたダミー画像印刷イメージは、印刷部１６８によって読み出され、クリア色画像形成部１６８ｃによりダミー画像（クリア色のトナー像）が形成され、ＵＶ色のトナー像と共に印刷用紙Ｍに転写されることになる。
【００７９】
以上のように、この実施形態では、ＰＤＬデータ解析部１５１及び印刷イメージ生成部２１０（描画処理部１５３、ＵＶ色図形描画部１５８、ＵＶ色文字描画部１５９及びＵＶ色イメージ描画部１６０）により、ＵＶ色印刷イメージ（第１の画像形成イメージ）を作成する第１の画像形成イメージ作成部が構成されている。また、この実施形態では、ＰＤＬデータ解析部１５１及び印刷イメージ生成部２１０（描画処理部１５３、及びダミー画像描画部１６９）により、ダミー画像印刷イメージ（第１の画像形成イメージと共に媒体に画像形成する第２の画像形成イメージ）を作成する第２の画像形成イメージ作成部が構成されている。さらに、この実施形態では、印刷部１６８（ＵＶ色画像形成部１６８ｂ）により、ＵＶ色印刷イメージに基づいてＵＶトナー（発光現像剤）を用いたトナー像を形成する発光現像剤像形成部が構成されている。さらにまた、この実施形態では、印刷部１６８（クリア色画像形成部１６８ｃ）により、ダミー画像印刷イメージに基づいてクリアトナーを用いたトナー像を形成する非発光現像剤像形成部が構成されている。
【００８０】
（Ａ−２）実施形態の動作
次に、以上のような構成を有するこの実施形態の画像処理装置１０１の動作を説明する。
【００８１】
図４〜図７は、画像処理装置１０１の動作について示したフローチャートである。
【００８２】
まず、図４、図５を用いて、画像処理装置１０１のジョブ実行時における基本動作について説明する。
【００８３】
まず、通信部１０２及び通信制御部１０３が外部装置（例えば、情報処理装置１８０）より印刷ジョブ（印刷データ）を受信したものとする（Ｓ１１０１）。
【００８４】
なお、画像処理装置１０１において、ジョブを受付ける手段は限定されず、複数手段に対応するようにしてもよい。画像処理装置１０１は、例えば、情報処理装置１８０等の外部装置からネットワークやＵＳＢケーブルなどの通信媒体を経由してコマンド入力を受付けるようにしてもよい。また、画像処理装置１０１は、例えば、操作パネル１０５からの操作入力（コマンド入力）によりジョブを受付けるようにしてもよい。具体的には、画像処理装置１０１は、コピーやＦＡＸ送信などの操作入力を受付けるようにしてもよい。
【００８５】
次に、通信制御部１０３が、情報処理装置１８０から受付けた印刷ジョブ（印刷データ）を通信指示認識部１０４に転送する（Ｓ１１０２）。通信制御部１０３及び通信指示認識部１０４では、例えば、ＰＤＬの「ＰＣＰｒｉｎｔ」という要求識別子に基づいて、ＰＣからの印刷要求（印刷ジョブ）を認識する。
【００８６】
次に、通信指示認識部１０４は、設定値管理部１１９から認証設定値を読み出す（Ｓ１１０３）。認証設定値は、認証を行うか、行わないかを決定するための設定値である。近年の画像処理装置では、ラニングコスト削減等のため、ユーザによって印刷する枚数等を制限する場合がある。また、Ｅｍａｉｌ送信やＦＡＸ送信などの情報転送機能等に対応する画像形成装置（複合機）では、情報の流出制限のためにもユーザを制限する場合がある。設定値管理部１１９における認証設定値は、ユーザが設定することが可能であるが、一般に管理者と呼ばれる役割が定義されており、その者だけがその設定値を変更する権限を持つ。通常、画像形成装置において、設定値を変更する権限は管理者専用のアカウントによって実現される。
【００８７】
次に、通信指示認識部１０４は、認証設定値を確認し（Ｓ１１０４）、「認証する」（ＯＮ）に設定されている場合には後述するステップＳ１１０５から動作し、「認証しない」（ＯＦＦ）に設定されている場合には、後述するステップＳ１２０１から動作する。
【００８８】
認証設定値が「認証する」に設定されている場合、通信指示認識部１０４は、受信した印刷データの中から認証情報Ａを読み出す（Ｓ１１０５）。認証情報Ａには、「ユーザネーム」と「パスワード」とが含まれるものとして説明する。アカウント管理部１０８では、各ユーザの認証情報Ｂとして、「ユーザネーム」及び「パスワード」を登録しているものとする。「ユーザネーム」は公開する値で「パスワード」は非公開の値である。なお、アカウント管理部１０８において、「ユーザネーム」はユーザの識別子であるので、重複登録はできないが、「パスワード」は重複登録可能である。
【００８９】
次に、通信指示認識部１０４は、アカウント管理部１０８から登録済の認証情報Ｂ（認証情報Ａのユーザネームに対応するパスワード）を読み出す（Ｓ１１０６）。
【００９０】
次に、通信指示認識部１０４は、認証情報Ａと認証情報Ｂを比較（照合）する（Ｓ１１０７）。画像処理装置１０１は、認証情報Ａと認証情報Ｂが一致（ユーザネーム及びパスワードが一致）する場合には認証成功と認識し、後述するステップＳ１２０１から動作し、一致しない場合には、認証失敗と認識し、受信した印刷データに係る処理を終了する。
【００９１】
上述のステップＳ１１０７で認証が成功した場合、通信指示認識部１０４は、ジョブ管理部１０９にユーザの要求（印刷データに基づく印刷の実行）を通知する（Ｓ１２０１）。
【００９２】
次に、ジョブ管理部１０９は、機能管理部１１０に要求実行に必要な機能を要求する（Ｓ１２０２）。ここでは、ジョブ管理部１０９は、印刷データに基づいた印刷を要求されているので、機能管理部１１０に対して、印刷するために必要となる印刷機能１１４を要求（問い合わせ）する。
【００９３】
次に、機能管理部１１０は、要求された機能の空き状況を確認し、可能ならば要求されたジョブ用に割り当てる（Ｓ１２０３）。ここでは、機能管理部１１０は、ジョブ管理部１０９から印刷するために必要となる印刷機能１１４を要求されているので、印刷機能１１４を要求について割当可能か否か（空いているか否か）を確認し、割当てを行うことになる。
【００９４】
次に、機能管理部１１０は、割当てた機能の構成要素に対して、要求されたジョブ実行に必要な情報を供給して処理開始を指示し（Ｓ１２０４）、さらに、ジョブ管理部１０９から供給されたデータ（例えば、印刷データ）を供給する（Ｓ１２０５）。
【００９５】
ここでは、機能管理部１１０は、ジョブ管理部１０９から供給された印刷データを、印刷機能１１４に供給することになる。
【００９６】
次に、機能管理部１１０に処理開始を指示された印刷機能１１４が、機能管理部１１０の指示に応じた処理（印刷データに基づく印刷処理）を行う（Ｓ１２０６）。
【００９７】
次に、印刷機能１１４は、印刷を完了すると、その結果を機能管理部１１０に通知する（Ｓ１２０７）。この後の処理は、処理完了を管理部（ジョブ管理部１０９）に通知するとともに、操作パネル１０５にも表示させるための動作である。
【００９８】
機能管理部１１０は、処理終了を認識すると、その処理終了の結果をジョブ管理部１０９に通知する（Ｓ１２０８）。
【００９９】
次に、ジョブ管理部１０９は、処理終了の結果をパネル指示認識部１０７へ通知する（Ｓ１２０９）。
【０１００】
次に、パネル指示認識部１０７は、処理終了の結果について、パネル制御部１０６を介し、操作パネル１０５に表示出力させる（Ｓ１２１０）。
【０１０１】
次に、印刷機能１１４の詳細動作（上述のステップＳ１２０６の詳細動作）について図６、図７を用いて説明する。
【０１０２】
図６は、印刷機能１１４で、ＰＤＬデータに基づく中間コードを生成する処理について示したフローチャートである。
【０１０３】
印刷機能１１４は、印刷処理を開始すると、まず、各バッファを初期化する（Ｓ１３０１）。このとき、印刷機能１１４では中間コード格納部１６１、通常色用ＲＯＰ情報格納部１６２、通常色用カラー情報格納部１６３、ＵＶ色用ＲＯＰ情報格納部１６４、ＵＶ色用カラー情報格納部１６５、通常色用印刷イメージ格納部１６６、ＵＶ色用印刷イメージ格納部１６７及びダミー画像印刷イメージ格納部１７０が初期化される。
【０１０４】
次に、ＰＤＬデータ解析部１５１は、ＰＤＬデータ受信部１５０から受信した印刷データを構成するデータ（ＰＤＬで記述された各データ）を順に解析して分類する（Ｓ１３０２）。以下では、印刷データを構成するＰＤＬで記述された各データを「ＰＤＬデータ」と呼ぶ。ＰＤＬデータ解析部１５１は、取得したＰＤＬデータを分類し、その分類結果に対応する処理（後述するステップＳ１３０３〜Ｓ１３１４、Ｓ１３１６の処理）を行う。
【０１０５】
ＰＤＬデータ解析部１５１は、例えば、通常色に係る印刷命令（例えば、図形、文字、イメージ画像等の印刷命令）、ＵＶ色に係る印刷命令（図形、文字、イメージ画像等の印刷命令）、パターン（例えば、テスト用の印刷パターン等）の印刷命令、印刷時に使用するテーブルデータ（カラー情報、ＲＯＰ情報）の変更命令等を識別して分類する。
【０１０６】
上述のステップＳ１３０２で、取得したＰＤＬデータが通常色の印刷命令と分類された場合、ＰＤＬデータ解析部１５１は、まず、カラーマッチング処理１５２に依頼し、カラーマッチングを行う（Ｓ１３０３）。ＰＤＬデータ解析部１５１が行うカラーマッチングの具体的内容については種々の画像形成装置と同様の処理を適用することができるため詳しい説明については省略する。なお、通常は、ＵＶ色についてはカラーマッチングを行う必要はないが、使用するＵＶ色のトナーの性質（例えば、特別な補正を必要とするトナーである場合等）によっては、カラーマッチングを行うようにしてもよい。ただし、ＵＶ色の印刷命令については、ＹＭＣＫへの色空間変換を行う必要はない。
【０１０７】
次に、ＰＤＬデータ解析部１５１は、ＰＤＬ命令（通常色の印刷命令）を解釈し、図形、文字、イメージ画像毎に通常色のカラー用中間コード（通常色のカラー情報を設定するディスプレイリスト）を作成する（Ｓ１３０４）。ＰＤＬデータ解析部１５１は、作成した中間コードを中間コード格納部１６１に格納する。
【０１０８】
次に、ＰＤＬデータ解析部１５１は、ＰＤＬ命令（通常色の印刷命令）を解釈し、図形、文字、イメージ画像毎に通常色ＲＯＰ用中間コード（通常色のＲＯＰ情報を設定するディスプレイリスト）を作成する（Ｓ１３０５）。ＰＤＬデータ解析部１５１は、作成した中間コードを中間コード格納部１６１に格納する。
【０１０９】
次に、ＰＤＬデータ解析部１５１は、カラー情報（作成した通常色カラー用中間コード）、及びＲＯＰ情報（通常色ＲＯＰ用中間コード）を考慮して、ＰＤＬの命令（通常色に係る図形、文字、又はイメージの印刷命令）に対応する中間コードを作成する（Ｓ１３０６）。
【０１１０】
一方、上述のステップＳ１３０２で、取得したＰＤＬデータがＵＶ色の印刷命令と分類された場合、ＰＤＬデータ解析部１５１は、ＰＤＬ命令（ＵＶ色の印刷命令）を解釈し、図形、文字、イメージ画像毎にＵＶ色カラー用中間コード（ＵＶ色のカラー情報を設定するディスプレイリスト）を作成する。作成した中間コードは中間コード格納部１６１に格納する（Ｓ１３０７）。ＰＤＬデータ解析部１５１は、作成した中間コードは中間コードを格納部１６１に格納する。
【０１１１】
次に、ＰＤＬデータ解析部１５１は、ＰＤＬ命令を解釈し、図形、文字、イメージ画像毎にＵＶ色ＲＯＰ用中間コード（ＵＶ色のＲＯＰ情報ディスプレイリスト）を作成する（Ｓ１３０８）。ＰＤＬデータ解析部１５１は、作成した中間コードは中間コードを格納部１６１に格納する。
【０１１２】
次に、ＰＤＬデータ解析部１５１は、カラー情報（ＵＶ色カラー用中間コード）、及びＲＯＰ情報（ＵＶ色ＲＯＰ用中間コード）を考慮して、ＰＤＬの命令（ＵＶ色に係る図形、文字、又はイメージの印刷命令）に対応する中間コードを作成する。また、ＰＤＬデータ解析部１５１は、ＵＶ色の中間コードに対応するダミー画像（クリアトナー）の中間コードも作成する（Ｓ１３１６）。
【０１１３】
ＰＤＬデータ解析部１５１は、例えば、ＵＶ色の中間コードを作成した場合、当該ＵＶ色の中間コードで指定されたフォント情報（フォント種別及びフォントサイズ）を用いて、当該ＵＶ色の中間コードと同じフォント情報に基づく文字の画像でダミー画像の中間コードを生成する。例えば、ＰＤＬデータ解析部１５１は、ＵＶ色の中間コードとして上述の図９（ａ）のような文字の画像を示す中間コードを作成した場合、当該中間コードのデータ（フォント情報等）を用いて、図９（ｂ）に示すような画像を示すダミー画像（クリアトナー）の中間コードを作成するようにしてもよい。
【０１１４】
また、例えば、ＰＤＬデータ解析部１５１は、ＵＶ色の中間コードとして上述の図８（ａ）のような図形の画像を示す中間コードを作成した場合、図８（ｂ）に示すような図形の画像を示すダミー画像（クリアトナー）の中間コードを出力するようにしてもよい。例えば、ＰＤＬデータ解析部１５１は、図８の例のように、ＵＶ色印刷イメージに含まれる図形と「近いサイズの図形」や、「異なる形状で近いサイズの図形」をランダムな位置に配置した画像をダミー画像印刷イメージとするようにしてもよい。例えば、ＰＤＬデータ解析部１５１は、ＵＶ色印刷イメージに含まれる各図形のサイズ、形状、及び位置を所定の範囲内でランダムに変更して、ダミー画像（例えば、図８（ｂ）のようなダミー画像）に含まれる各図形の中間コードを作成して出力するようにしてもよい。
【０１１５】
さらに、例えば、ＰＤＬデータ解析部１５１は、ＵＶ色の中間コードとしてイメージ画像を示す中間コードを作成した場合、所定のダミー画像（例えば、予め保持したダミー画像）の中間コードを出力するようにしてもよい。
【０１１６】
以上のように、ＰＤＬデータ解析部１５１は、ＵＶ色に係る印刷命令を検知した場合、クリアトナーによるダミー画像を印刷する要求を追加する処理（ダミー画像の中間コードを作成する処理）を行う。なお、ＰＤＬデータ解析部１５１は、複数の画像を重ねたダミー画像を作成するようにしてもよい。例えば、ＰＤＬデータ解析部１５１は、文字及び図形のそれぞれに対応するダミー画像の中間コードを出力するようにしてもよい。
【０１１７】
上述のステップＳ１３０２で、取得したＰＤＬデータがパターンの印刷命令と分類された場合、ＰＤＬデータ解析部１５１は、当該ＰＤＬデータで指定されたパターンデータを特定する（Ｓ１３０９）。次に、ＰＤＬデータ解析部１５１は、パターンデータに応じて中間コードを作成し、作成した中間コードは中間コード格納部１６１に格納する（Ｓ１３１０）。
【０１１８】
上述のステップＳ１３０２で、取得したＰＤＬデータが通常色カラー情報の変更命令と分類された場合、ＰＤＬデータ解析部１５１は、当該変更命令に従って、通常色のカラー情報（上述のステップＳ１３０４の処理で通常色カラー用中間コードを作成する際に用いる情報）を更新する（Ｓ１３１１）。
【０１１９】
上述のステップＳ１３０２で、取得したＰＤＬデータが通常色ＲＯＰ情報の変更命令と分類された場合、ＰＤＬデータ解析部１５１は、当該変更命令に従って、通常色のＲＯＰ情報（上述のステップＳ１３０５の処理で通常色ＲＯＰ用中間コードを作成する際に用いる情報）を更新する（Ｓ１３１２）。
【０１２０】
上述のステップＳ１３０２で、取得したＰＤＬデータがＵＶ色カラー情報の変更命令と分類された場合、ＰＤＬデータ解析部１５１は、当該変更命令に従って、ＵＶ色のカラー情報（上述のステップＳ１３０７の処理でＵＶ色カラー用中間コードを作成する際に用いる情報）を更新する（Ｓ１３１３）。
【０１２１】
上述のステップＳ１３０２で、取得したＰＤＬデータがＵＶ色ＲＯＰ情報の変更命令と分類された場合、ＰＤＬデータ解析部１５１は、当該変更命令に従って、ＵＶ色のＲＯＰ情報（上述のステップＳ１３０８の処理でＵＶ色ＲＯＰ用中間コードを作成する際に用いる情報）を更新し（Ｓ１３１４）、後述するステップＳ１３１５の処理に移行する。
【０１２２】
上述のステップＳ１３０６、Ｓ１３１０、Ｓ１３１１、Ｓ１３１２、Ｓ１３１３、Ｓ１３１６の処理のいずれかの処理が終了すると、ＰＤＬデータ解析部１５１は、次のＰＤＬデータの有無を確認し（Ｓ１３１５）、次のＰＤＬデータがある場合には、上述のステップＳ１３０２に戻って次のＰＤＬデータの処理を行い、次のＰＤＬデータがない場合には、中間コードの作成処理を終了する。
【０１２３】
以上の動作により、ＰＤＬデータ解析部１５１は、ＰＤＬデータの解析処理を行い、中間コード格納部１６１に結果（各中間コード）が格納された状態となる。
【０１２４】
中間コードの生成が終了すると、印刷機能１１４では、印刷イメージ生成部２１０により、中間コードに対応する印刷イメージの作成が行われる。
【０１２５】
図７は、印刷イメージ生成部２１０が行う印刷イメージの作成処理について示した説明図である。
【０１２６】
まず、中間コード判別部１５４は、中間コード格納部１６１から順に中間コードを読出して取得し、当該中間コードの内容を解析する（Ｓ１４０１）。そして、中間コード判別部１５４は、取得した中間コードの内容を解析し、解析した内容に応じて描画処理部１５３を制御する処理を行う。
【０１２７】
中間コード判別部１５４は、取得した中間コードを解析して、通常色に係る印刷命令（例えば、図形、文字、イメージ画像等の印刷命令）、ＵＶ色に係る印刷命令（図形、文字、イメージ画像等の印刷命令）、ダミー色（ダミー画像）の印刷命令、パターンの印刷命令、印刷時に使用するテーブルデータ（通常色カラー情報、通常色ＲＯＰ情報、ＵＶ色カラー情報、ＵＶ色ＲＯＰ情報）の変更のいずれかに分類し、その結果に応じ描画処理部１５３を制御する処理を行う。
【０１２８】
上述のステップ１４０１で、取得した中間コードが印刷命令であった場合に、中間コード判別部１５４は、当該中間コードについて通常色の印刷命令（図形、文字、又はイメージ画像）と、ＵＶ色の印刷命令（図形、文字、又はイメージ画像）と、ダミー色（ダミー画像）とを区別して、描画処理部１５３にセットする（Ｓ１４０２）。
【０１２９】
描画処理部１５３は、通常色の印刷命令（図形、文字、又はイメージ画像）の描画処理を、それぞれ対応する描画部（通常色図形描画部１５５、通常色文字描画部１５６、又は通常色イメージ描画部１５７）に依頼して処理させる（Ｓ１４０３）。具体的には、描画処理部１５３は、通常色の図形の描画処理（印刷イメージの作成）を通常色図形描画部１５５に依頼して実行させ、通常色の文字の描画処理を通常色文字描画部１５６に依頼して実行させ、通常色のイメージ画像の描画処理を通常色イメージ描画部１５７に依頼して実行させる。
【０１３０】
描画処理部１５３は、ＵＶ色の印刷命令（図形、文字、又はイメージ画像）に基づく描画処理を、それぞれ対応する描画部（ＵＶ色図形描画部１５８、ＵＶ色文字描画部１５９、ＵＶ色イメージ描画部１６０）に依頼して処理させる（Ｓ１４０４）。具体的には、描画処理部１５３は、ＵＶ色の図形の描画処理（印刷イメージの作成）をＵＶ色図形描画部１５８に依頼して実行させ、ＵＶ色の文字の描画処理をＵＶ色文字描画部１５９に依頼して実行させ、ＵＶ色のイメージ画像の描画処理をＵＶ色イメージ描画部１６０に依頼して実行させる。
【０１３１】
描画処理部１５３は、ダミー色（ダミー画像）の印刷命令の描画処理を、ダミー画像描画部１６９に依頼して処理させる（Ｓ１４１１）。
【０１３２】
上述のステップＳ１４０１で中間コードから読み出した内容がパターンであった場合、中間コード判別部１５４は、当該中間コードのパターン情報を描画処理部１５３に設定する（Ｓ１４０５）。
【０１３３】
上述のステップＳ１４０１で中間コードから読み出した内容が通常色カラー情報であった場合に、中間コード判別部１５４は、当該情報を描画処理部１５３へ登録する（Ｓ１４０６）。
【０１３４】
上述のステップＳ１４０１で中間コードから読み出した内容が通常色ＲＯＰ情報であった場合に、中間コード判別部１５４は、当該通常色ＲＯＰ情報を、描画処理部１５３へ登録する（Ｓ１４０７）。
【０１３５】
上述のステップＳ１４０１で中間コードから読み出した内容がＵＶ色カラー情報であった場合、中間コード判別部１５４は、当該ＵＶ色カラー情報を描画処理部１５３へ登録する（Ｓ１４０８）。
【０１３６】
上述のステップＳ１４０１で中間コードから読み出した内容がＵＶ色ＲＯＰ情報であった場合、中間コード判別部１５４は、当該ＵＶ色ＲＯＰ情報を描画処理部１５３に登録する（Ｓ１４０９）。
【０１３７】
なお、通常中間コード内はカラー情報、ＲＯＰ情報、描画対象の情報がセットになり記述されているが、上述のステップＳ１４０５〜Ｓ１４０９のように単独で情報登録する場合の処理も可能であるものとする。
【０１３８】
上述のステップＳ１４０３〜Ｓ１４０９、Ｓ１４１１の処理のいずれかが終了すると、中間コード判別部１５４は、中間コード格納部１６１から次の中間コード（未だ処理が登録されていない中間コード）の有無を確認し（Ｓ１４１０）、中間コードが残っている場合には上述のステップＳ１４０１に戻って次の中間コードの処理を行い、中間コードが残っていなければ、描画処理を終了する。
【０１３９】
以上のように印刷機能１１４では、通常色印刷イメージ、ＵＶ色印刷イメージ、及びダミー画像印刷イメージが作成される。そして、印刷部１６８は、通常色画像形成部１６８ａ、ＵＶ色画像形成部１６８ｂ、クリア色画像形成部１６８ｃ、及び定着部１６８ｄを用いて、印刷用紙Ｍに、通常色印刷イメージ、ＵＶ色印刷イメージ、及びダミー画像印刷イメージに基づく画像を形成する。
【０１４０】
（Ａ−３）実施形態の効果
この実施形態によれば、以下のような効果を奏することができる。
【０１４１】
画像処理装置１０１では、ＵＶトナー（蛍光トナー）を用いてＵＶ色のトナー像を印刷する際に、クリアトナーを用いてダミー画像も印刷する。これにより、画像処理装置１０１により印刷されたＵＶ色のトナー像を、可視光下（紫外光が照射されてない状態）で識別困難（観者にとって識別困難）とすることができる。
【０１４２】
また、画像処理装置１０１では、図８〜図１０に示すように、ＵＶ色のトナー像に応じたダミー画像を作成し、印刷用紙Ｍの印刷面の一部にだけクリアトナーのトナー像を形成する。これにより、画像処理装置１０１では、印刷用紙Ｍの印刷面の全面にクリアトナーを転写（いわゆるベタ塗り）する場合と比較して、クリアトナーの消費量を低減することができる。すなわち、画像処理装置１０１では、ＵＶ色のトナー像を、可視光下で識別困難としつつ、クリアトナーの消費量を低減することができる。
【０１４３】
（Ｂ）他の実施形態
本発明は、上記の実施形態に限定されるものではなく、以下に例示するような変形実施形態も挙げることができる。
【０１４４】
（Ｂ−１）上記の実施形態では、本発明の画像形成装置を複合機（ＭＦＰ）に適用する例について示したが、プリンタ、ＦＡＸ、コピー等の他の画像形成装置に適用するようにしてもよい。
【０１４５】
（Ｂ−２）上記の実施形態では、画像処理装置１０１が受信した印刷データに含まれる命令（ＰＤＬデータ）にＵＶ色の印刷命令が含まれていた場合に、ダミー画像の印刷命令を生成する構成について説明したが、本発明の画像処理装置１０１でダミー画像の印刷（クリアトナーを用いた画像の印刷）を行う契機については上述の例に限定されない。例えば、印刷部１６８において、ＵＶ色画像形成部１６８ｂで画像形成を行う際に、自動的に所定の画像（例えば、予め保持したダミー画像）をクリア色画像形成部１６８ｃに印刷させるようにしてもよい。
【０１４６】
また、上記の実施形態において、画像処理装置１０１は、例えば、上述の図８〜図１０に示すような画像をダミー画像として印刷しているが、ダミー画像は所定のパターンの画像（例えば、網目パターン等の所定のパターンを印刷面の全面に印刷する画像）や、印刷面の全面にわたってベタ塗りする画像としてもよい。
【０１４７】
（Ｂ−３）上記の実施形態の画像処理装置１０１では、通常色としてシアン、イエロー、マゼンタ、ブラックに対応するものとして説明したが、通常色の数や組合せは限定されないものである。例えば、上記の実施形態の画像処理装置１０１において、通常色をブラック１色としてもよい。
【符号の説明】
【０１４８】
１０１…画像処理装置、１０２…通信部、１０３…通信制御部、１０４…通信指示認識部、１０５…操作パネル、１０６…パネル制御部、１０７…パネル指示認識部、１０８…アカウント管理部、１０９…ジョブ管理部、１１０…機能管理部、１１１…スキャナ機能、１１２…ＦＡＸ機能、１１３…媒体アクセス機能、１１４…印刷機能、１１５…Ｅｍａｉｌ機能、１１６…レポート作成機能、１１９…設定値管理部、１２０…ログ管理部、１２１…記憶部、１５０…ＰＤＬデータ受信部、１５１…ＰＤＬデータ解析部、１５２…カラーマッチング処理、１５３…描画処理部、１５４…中間コード判別部、１５５…通常色図形描画部、１５６…通常色文字描画部、１５７…通常色イメージ描画部、１５８…ＵＶ色図形描画部、１５９…ＵＶ色文字描画部、１６０…ＵＶ色イメージ描画部、１６１…中間コード格納部、１６２…通常色用ＲＯＰ情報格納部、１６３…通常色用カラー情報格納部、１６４…ＵＶ色用ＲＯＰ情報格納部、１６５…ＵＶ色用カラー情報格納部、１６６…通常色用印刷イメージ格納部、１６７…ＵＶ色用印刷イメージ格納部、１６８…印刷部、２１０…印刷イメージ生成部、２２０…印刷イメージ生成用バッファ、１６９…ダミー画像描画部、１７０…ダミー画像印刷イメージ格納部、１６８ａ…通常色画像形成部、１６８ｂ…ＵＶ色画像形成部、１６８ｃ…クリア色画像形成部、１６８ｄ…定着部、１８０…情報処理装置、１８１…アプリケーション、１８２…ＯＳ、１８３…プリンタドライバ、１８４…プロパティ情報追加部、Ｍ…印刷用紙。
【図１】
0006469490.tif 000002
【図２】
0006469490.tif 000003
【図３】
0006469490.tif 000004
【図４】
0006469490.tif 000005
【図５】
0006469490.tif 000006
【図６】
0006469490.tif 000007
【図７】
0006469490.tif 000008
【図８】
0006469490.tif 000009
【図９】
0006469490.tif 000010
【図１０】
0006469490.tif 000011